(57)【特許請求の範囲】
【請求項１】
遊技機の前枠に取り付け、当該前枠を遊技機の外枠に着脱可能に取付けるための遊技機の前枠ヒンジ構造において、
前記前枠の上端の角部および同一側の下端の角部に刻設したピン受部と、
当該ピン受部に取付ける前枠基体と、
前記ピン受部に収納され、前記外枠に取り付けられた外枠基体と係合可能なピン体であって、該外枠基体に係合する側が外枠と係合可能な先細りの形状を有する取付ピンと、
前記ピン受部に収納されて前記ピンをその全長方向に付勢する付勢部材とでもって形成され、
前記取付ピンは、前記ピン受部に収納されるベース部と、前記外枠基体と係合する係合部と、を有し、
前記ベース部は前記ピン受部内での前記取付けピンの回転を防止する形状を有し、
前記外枠基体に係合する側の前記係合部は、円柱体の途中から先端にかけて一つの平面で形成され、かつ斜に先細りの形状を形成する傾斜面を有し、
前記前枠を外枠に取り付けて閉めたときに、前記傾斜面が遊技盤面側に向き、前記係合部が前記外枠基体と当接するように前記ベース部を前記ピン受部に収納したことを特徴とする遊技機の前枠ヒンジ構造。
【発明の詳細な説明】
【０００１】
【発明の属する技術分野】
本発明は、遊技機の前枠に取り付け、当該前枠を遊技機の外枠に着脱可能に取付けるための遊技機の前枠ヒンジ構造に関する。
【０００２】
【従来の技術】
従来この種の遊技機のヒンジ構造としては、例えば、特開平８−１５０２５２号に示すようなものがある。
【０００３】
すなわち、図５に示したように、前枠の内部に設けた取付ピン１と、取付ピン１の一方の端部が前枠から上下方向に突出し得るように取付ピン１を付勢しつつ取付ピン１を上下方向に可動状態にて支持することが可能な取付ピン支持手段２と、前枠から突出した取付ピン１を前枠方向に退行させることが可能な取付ピン退行手段とを有し、取付ピン支持手段２又は取付ピン退行手段３には、取付ピン１が上下方向に突出した状態にて取付ピン１の前枠方向への退行を阻止することが可能なロック機構４を設けた前枠ヒンジ構造を有するもので、前枠への取付が容易で、前枠を簡易且つ確実に外枠に取り付けることを可能にしようとするものである。
【０００４】
【発明が解決しようとする課題】
しかしながら、このような従来の遊技機のヒンジ構造では、図５に示したよううに構造が複雑且つ部品点数が多いため、製造コストが上昇するという問題点があった。
【０００５】
また、構造が複雑且つ部品点数が多いことはそれだけ故障発生の可能性のある部分が増えるという問題点もあった。
【０００６】
本発明は、このような従来の問題点に着目してなされたもので、構造が簡単で部品数が少なく、且つ、前枠を簡易且つ確実に外枠に取り付けることが可能な遊技媒体のヒンジ構造を提供することを目的としている。
【０００７】
【課題を解決するための手段】
かかる目的を達成するための要旨とするところは、次の項に存する。
【０００８】
［１］遊技機（Ａ）の前枠（１０）に取り付け、当該前枠（１０）を遊技機（Ａ）の外枠（２０）に着脱可能に取付けるための遊技機の前枠ヒンジ構造において、
前記前枠（１０）の上端の角部および同一側の下端の角部に刻設したピン受部（１１）と、
当該ピン受部（１１）に取付ける前枠基体（１２Ａ、１２Ｂ）と、
前記ピン受部（１１）に収納され、前記外枠（２０）に取り付けられた外枠基体（２１Ａ、２１Ｂ）と係合可能なピン体であって、該外枠基体（２１Ａ、２１Ｂ）に係合する側が外枠と係合可能な先細りの形状を有する取付ピン（１３）と、
前記ピン受部（１１）に収納されて前記取付ピン（１３）をその全長方向に付勢する付勢部材（１４）とでもって形成され、
前記取付けピン（１３）は、前記ピン受部（１１）に収納されるベース部（１３ａ）と、前記外枠基体（２１Ａ、２１Ｂ）と係合する係合部（１３ｂ）と、を有し、
前記ベース部（１３ａ）は前記ピン受部（１１）内での前記取付ピン（１３）の回転を防止する形状を有し、
前記外枠基体（２１Ａ、２１Ｂ ）に係合する側の前記係合部（１３ｂ）は、円柱体の途中から先端にかけて一つの平面で形成され、かつ斜に先細りの形状を形成する傾斜面（１３ｃ）を有し、
前記前枠（１０）を外枠（２０）に取り付けて閉めたときに、前記傾斜面（１３ｃ）が遊技盤面側に向き、前記係合部（１３ｂ）が前記外枠基体（２１Ａ、２１Ｂ ）と当接するように前記ベース部（１３ａ）を前記ピン受部（１１）に収納したことを特徴とする遊技機の前枠ヒンジ構造。
【００１１】
次に作用を説明する。
【００１２】
遊技機（Ａ）の外枠（２０）の一方の側の上端の角部には外枠基体（２１Ａ）を取り付け、同一側の下端の角部には外枠基体（２１Ｂ）を取り付ける。
【００１３】
一方、前枠（１０）上端の角部および同一側の下端の角部には各々ピン受部（１１、１１）を刻設しておき、そのピン受部（１１、１１）内に付勢部材（１４）であるコイルスプリングを入れ、さらに取付ピン（１３）をいれる。このとき、取付ピン（１３）の係合部（１３ｂ）に形成した傾斜面（１３ｃ）は、前枠（１０）を外枠（２０）に取り付けて閉めたときに遊技盤面側を向く向きに挿入する。
【００１４】
その次に、前枠（１０）上端側のピン受部（１１）上に前枠基体（１２Ａ ）を取り付け、下端側のピン受部（１１）に前枠基体（１２Ｂ ）を取り付ける。
【００１５】
取付ピン（１３）のベース部（１３ａ）はピン受部（１１）内で回らない形状にされているので、前記傾斜面（１３ｃ）の向きは固定される。
【００１６】
取付ピン（１３）はベース部（１３ａ）の底部（１３０）から付勢部材（１４）によって付勢されているので、取付ピン（１３）の係合部（１３ｂ）は最も突出した状態にある。
【００１７】
前枠（１０）を外枠（２０）に取り付けるときは、それらが相対する状態で前枠（１０）の前枠基体（１２Ａ、１２Ｂ）と外枠（２０）の外枠基体（２１Ａ、２１Ｂ ）の位置を合わせて、そのまま前枠（１０）を外枠（２０）に押し付ければよい。
【００１８】
押し付けることによって、取付ピン（１３）の係合部（１３ｂ）の傾斜面（１３ｃ）が外枠（２０）の外枠基体（２１Ａ、２１Ｂ ）に押し付けられ、それによって取付ピン（１３）は付勢部材（１４）の付勢力に抗してピン受部（１１）内に沈み込み、外枠基体（２１Ａ、２１Ｂ ）に穿設した開口のところで付勢部材（１４）の付勢力によって突出し、取り付けられる。
【００１９】
前枠（１０）を外枠（２０）に取り付けた状態では、前記係合部（１３ｂ）は外枠基体（２１Ａ、２１Ｂ ）の開口の縁部に当接している。
【００２０】
外枠（２０）から前枠（１０）を取り外すときは、前枠（１０）が外枠（２０）と略直角になるところまで開き、そのまま係合部（１３ｂ）の傾斜面（１３ｃ）が面している方向に前枠（１０）をずらせば、傾斜面（１３ｃ）が開口の縁部に押し付けられ、それによって取付ピン（１３）は付勢部材（１４）の付勢力に抗してピン受部（１１）内に沈んで行くので係合部（１３ｂ）が外れるまで押し続ければよい。
【００２１】
このようにして、前枠（１０）を簡易且つ確実に外枠（２０）に取り付けることができる。
【００２２】
【発明の実施の形態】
以下、図面に基づき本発明の一実施の形態を説明する。
【００２３】
図１から図４は本発明の一の実施の形態を示している。
【００２４】
図１に示すように、前枠ヒンジ構造は、遊技機Ａの前枠１０を外枠２０に着脱可能に取付けるための前枠ヒンジの構造である。
【００２５】
前枠１０の上端の左角部には切欠き部１５Ａが設けられている。切欠き部１５Ａは前枠１０の上端面１６Ａと平行な平面部を有し、そこに角柱の輪郭を有するピン受部１１が前枠１０の下端面に向けて刻設されている。
【００２６】
このピン受部１１には付勢部材であるコイルスプリング１４が収められている。
【００２７】
コイルスプリング１４の上には後に説明する外枠２０に取り付けた外枠基体２１Ａと係合して前枠１０を取り付けるための取付ピン１３が収められている。
【００２８】
取付ピン１３は図２の（Ａ）、（Ｂ）および（Ｃ）に明示されている。（Ａ）は、取付ピン１３の平面図であり、（Ｂ）は左側面図、（Ｃ）は正面図である。
【００２９】
取付けピン１３は、前枠１０のピン受部１１に収納されるベース部１３ａと、外枠基体２１Ａと係合する係合部１３ｂと、が形成されている。各図から分かるように、ベース部１３ａは横断面が正方形であり、縦断面が長方形の四角柱状に形成されている。ベース部１３ａの外寸はピン受部１１内で取付ピン１３の回転が起こらない程度であればよいが、がたつきを生じさせないためには正方形の横断面の四辺はピン受部１１の寸法に略等しいことが好ましい。一方、ベース部１３ａの長さは、ピン受部１１の深さよりも短いが、ベース部１３ａの長さと自然の状態にあるコイルスプリング１４の長さを足した全長は、ピン受部１１の深さよりも充分長い大きさに取られている。
【００３０】
ベース部１３ａの上に形成された係合部１３ｂは、直径がベース部材１３ａの正方形の断面の一辺よりも小さい円柱体をベース部１３ａの上面の中心に円の中心が来るようにベース部１３ａの長手方向に延設したものであり、途中から先端に向かって斜めに切り落とした傾斜面１３ｃを有している。
【００３１】
取付ピン１３は、前枠１０を外枠２０に取り付けて閉めたときに、径斜面１３ｃが遊技盤面側に向く方向でピン受部１１内に収められている。
【００３２】
取付ピン１３とコイルスプリング１４とをピン受部１１に収めた状態で、切欠き部１５Ａに前枠基体１２Ａが螺子止めされている。前枠基体１２Ａには取付ピンの係合部１３ｂが出没可能なようにピン開口１２Ｈが形成されている。
【００３３】
前枠１０の下端の左角部にも形状は切欠き部１５Ａと異なるが同様の目的をもって切欠き部１５Ｂが設けられている。また、ピン受部１１、コイルスプリング１４および取付ピン１３は前枠１０の上端の左角部に設けたものと同一のものが設けられている。また、切欠き部１５Ｂは切欠き部１５Ａと形状が異なるため、取り付ける前枠基体１２Ｂの形状も異なるが、前枠基体１２Ａに形成したピン開口１２Ｈと同様のピン開口１２Ｈが形成されている。
【００３４】
図１および図３に示したように、遊技機Ａの外枠２０の上端の左角部には外枠基体２１Ａが、下端の左角部には外枠基体２１Ｂが螺子止めされている。外枠基体２１Ａ、２１Ｂは、取り付けたときに外枠基体より前方に突出した突出片の形状は異なるが、各々には前枠１０を取り付けたときに取付ピン１３が貫通するピン開口２１Ｈが形成されている。
【００３５】
次に作用を説明する。
【００３６】
遊技機Ａの外枠２０の一方の側の上端の角部にはピン開口２１Ｈの形成された突出片が手前に来るように外枠基体２１Ａを螺子で取り付ける。同様に同じ側の下端の角部には外枠基体２１Ｂを取り付ける。
【００３７】
一方、前枠１０上端の角部および同じ側の下端の角部には各々四角柱状にピン受部１１、１１を刻設しておき、そのピン受部１１、１１内に付勢部材１４であるコイルスプリングを入れる。さらに取付ピン１３をいれる。このとき、取付ピン１３の係合部１３ｂに形成した傾斜面１３ｃは、前枠１０を外枠２０に取り付けて閉めたときに遊技盤面側を向く向きに挿入する。
【００３８】
その次に、前枠１０上端側のピン受部１１上に前枠基体１２Ａを取り付け、下端側のピン受部１１に前枠基体１２Ｂを取り付けるが、このとき、ピン受部１１、１１から突出している取付ピン１３の係合部１３ｂをそれぞれピン開口１２Ｈに貫通させて取り付ける。
【００３９】
このようにして取り付けた取付ピン１３は、そのベース部１３ａがピン受部１１内では回転できないので係合部１３ｂの傾斜面１３ｃの向きは固定される。
【００４０】
一方、取付ピン１３はベース部１３ａの底部１３０からコイルスプリング１４によって付勢されているので、ベース部１３ａはピン受部１１内でその長手方向に縦動可能である。取付ピン１３の係合部１３ｂはコイルスプリング１４の付勢力によりベース部１３ａの上面部が前枠基体１２Ａ、１２Ｂに当接した状態にあるとき最も突出した状態にある。
【００４１】
前枠１０を外枠２０に取り付けるときは、図３に示したように、それらが相対する状態で前枠１０の前枠基体１２Ａ、１２Ｂの位置と外枠２０の外枠基体２１Ａ、２１Ｂの位置を合わせて、そのまま前枠１０を外枠２０に押し付ければよい。
【００４２】
押し付けることによって、取付ピン１３の係合部１３ｂの傾斜面１３ｃが外枠基体２１Ａ、２１Ｂの突出片に押し付けられる。突出片が係合部１３ｂの傾斜面１３ｃを押す力の取付ピン１３の長手方向の成分がコイルスプリング１４の付勢力に抗して取付ピン１３をピン受部１１内に沈み込ませる。さらに前枠１０を押し続け、取付ピン１３の係合部１３ｂの先端が外枠基体２１Ａ、２１Ｂに穿設したピン開口２１Ｈ内に入ると、取付ピン１３はピン受部１１内に沈み込ませる力を受けなくなるのでコイルスプリング１４の付勢力によって突出する。
【００４３】
このようにして前枠１０を外枠２０に取り付けた状態では、係合部１３ｂの傾斜面１３ｃは完全には外枠基体２１Ａ、２１Ｂ のピン開口２１Ｈ、２１Ｈの上に突き出てはおらず、ピン開口２１Ｈ、２１Ｈの内縁部に当接している。しかし、前述のように、傾斜面１３ｃは、遊技機Ａに相対する方向に向いて不動であるので、そのままで前枠１０上下、前後、左右の何れの向きに動かそうとしても前枠１０が外枠２０から外れることはない。
【００４４】
前枠１０を外枠２０から取り外すときは、図４に示したように、先ず、前枠１０が外枠２０と略直角になるところまで開く。このとき、前枠１０に取り付けた取付ピン１３の係合部１３ｂの傾斜面１３ｃは、図示したように右側を向いている。その状態で、傾斜面１３ｃの向いた方向、すなわち図４において矢印で示した方向に前枠１０をずらせば、傾斜面１３ｃがピン開口２１Ｈ、２１Ｈの内縁部に押し付けられ、取付ピン１３は上述のようにコイルスプリング１４の付勢力に抗してピン受部１１内に沈み込む。さらに矢印の方向にずらして行けば係合部１３ｂを外枠２０から外すことができる。
【００４５】
このようにして、前枠１０を簡易且つ確実に外枠２０に取り付け、また、取り外すことができる。
【００４６】
本形態では、係合部１３ｂ先端側を斜に切り落とした傾斜面１３ｃを有する形状のものを図示して説明したが、それに限らず、先細りの様々な形状とすることができる。
【００４７】
【発明の効果】
本発明にかかる遊技機の前枠ヒンジ構造によれば、構造が簡単で部品数が少ないので、簡単な操作で前枠を外枠に確実に取り付けることができ、且つ、取り外すことができる。
【００４８】
また、構造が簡単で部品数が少ないので、製造コストが低く、故障の発生も少ない。
【図面の簡単な説明】
【図１】本発明の一実施の形態にかかる遊技機の前枠ヒンジ構造を示す分解斜視図である。
【図２】（Ａ）は本発明の一実施の形態にかかる遊技機の前枠ヒンジ構造を構成する取付ピンの平面図であり、（Ｂ）は取付ピンの左側面図であり、（Ｃ）は取付ピンの正面図である。
【図３】本発明の一実施の形態にかかる前枠ヒンジ構造を有する前枠を外枠に取り付ける場合を示す説明図である。
【図４】本発明の一実施の形態にかかる前枠ヒンジ構造を有する前枠を外枠に取り付ける場合を示す説明図である。
【図５】従来の遊技機の前枠ヒンジ構造を示す斜視図である。
【符号の説明】
Ａ…遊技機
１０…前枠
１１…ピン受部
１２Ａ、１２Ｂ …前枠基体
１３…取付ピン
１３ａ…ベース部
１３ｂ …係合部
１３ｃ …傾斜面
１４…付勢部材
２０…外枠
２１Ａ、２１Ｂ …外枠基体
１１０…ピン受部の底部
１３０…ベース部の底部
【図１】
0004173923.tif 000002
【図２】
0004173923.tif 000003
【図３】
0004173923.tif 000004
【図４】
0004173923.tif 000005
【図５】
0004173923.tif 000006